(57)【特許請求の範囲】
【請求項１】
磁気テープからデジタルオーディオ信号を再生する第１の手段と、
前記第１の手段により再生されたデジタルオーディオ信号の所定のエラー率をサンプル毎に検出する第２の手段と、
前記第２の手段が前記所定のエラー率が所定サンプル期間続いたことを検出したときに、前記第１の手段で再生されたデジタルオーディオ信号の出力レベルを所定レベルに低下させる第３の手段とを備え、
上記第３の手段は、上記所定のエラー率、上記所定サンプル期間、上記所定レベル及び上記出力レベル低下の時間の設定を外部から行うことが可能なデジタルシグナルプロセッサよりなることを特徴とするデジタルオーディオ信号再生装置。
【請求項２】
磁気テープから再生したデジタルオーディオ信号の所定のエラー率をサンプル毎に検出し、
検出した所定のエラー率が所定サンプル期間続いた場合に、前記デジタルオーディオ信号の出力レベルを所定レベルに低下させ、
前記出力レベルの低下は、前記所定のエラー率、前記所定サンプル期間、前記所定レベル及び前記出力レベル低下の時間の設定を外部から行うことが可能なデジタルシグナルプロセッサを用いて行うことを特徴とするデジタルオーディオ信号再生方法。
【発明の詳細な説明】
【０００１】
【産業上の利用分野】
本発明は、磁気テープに対してデジタルビデオ信号やデジタルオーディオ信号等を記録・再生する装置に関し、より詳細には、デジタルオーディオ信号のミュート制御に関する。
【０００２】
【従来の技術】
データ圧縮処理を施したデジタルビデオ信号と共にデジタルオーディオ信号を磁気テープに対して記録・再生するデジタルビデオテープレコーダの開発が進められている（例えば、９３年１０月１日発行の日経エレクトロニクスブックス「データ圧縮とディジタル変調」ＰＰ．１３７−１５０を参照）。
【０００３】
【発明が解決しようとする課題】
前述したようなデジタルビデオテープレコーダにおいては、再生時にパリティを用いたエラー訂正処理を行ない、エラー訂正ができなかったデータに対しては補間を行なうことにより、再生音声に耳障りなノイズが発生しないようにすることが考えられている。
【０００４】
しかしながら、磁気テープに大きな傷があった場合には、前述したような補間処理では耳障りなノイズを抑えることができないという問題点があった。
【０００５】
本発明は、このような問題点に鑑みてなされたものであって、再生デジタルオーディオ信号に補間により訂正できないエラーが生じたときに、耳障りなノイズを抑えることのできるデジタルオーディオ信号再生装置及びデジタルオーディオ信号再生方法を提供することを目的とする。
【０００６】
【課題を解決するための手段】
前記課題を解決するめに、本発明に係るデジタルオーディオ信号再生装置は、磁気テープからデジタルオーディオ信号を再生する第１の手段と、前記第１の手段により再生されたデジタルオーディオ信号の所定のエラー率をサンプル毎に検出する第２の手段と、前記第２の手段が前記所定のエラー率が所定サンプル期間続いたことを検出したときに、前記第１の手段で再生されたデジタルオーディオ信号の出力レベルを所定レベルに低下させる第３の手段とを備える。上記第３の手段は、上記所定のエラー率、上記所定サンプル期間、上記所定レベル及び上記出力レベル低下の時間の設定を外部から行うことが可能なデジタルシグナルプロセッサよりなる。
【０００７】
また、本発明に係るデジタルオーディオ信号再生方法は、磁気テープから再生したデジタルオーディオ信号の所定のエラー率をサンプル毎に検出し、検出した所定のエラー率が所定サンプル期間続いた場合に、前記デジタルオーディオ信号の出力レベルを所定レベルに低下させる。この出力レベルの低下は、前記所定のエラー率、前記所定サンプル期間、前記所定レベル及び前記出力レベル低下の時間の設定を外部から行うことが可能なデジタルシグナルプロセッサを用いて行う。
【０００８】
本発明に係るデジタルオーディオ信号再生装置及びデジタルオーディオ信号再生方法は、少なくともデジタルオーディオ信号を再生する装置及び方法を意味する。すなわち、例えばデジタルオーディオ信号と共にデジタルビデオ信号を再生する装置及び方法を含む。また、デジタルオーディオ信号あるいはデジタルオーディオ信号と共にデジタルビデオ信号を記録・再生する装置及び方法を含む。
【０００９】
【発明の実施の形態】
以下本発明の実施の形態について図面を参照しながら詳細に説明する。
図１は本発明を適用した磁気再生装置の要部の構成を示すブロック図である。この磁気再生装置は、磁気テープ１に記録されているデジタルデータを再生する磁気ヘッドＨ０，Ｈ１と、磁気ヘッドＨ０，Ｈ１の出力を交互に切り換えて時系列化するスイッチＳＷと、スイッチＳＷの出力を増幅するＲＦ再生アンプ２とを備えている。磁気ヘッドＨ０，Ｈ１は回転ドラム（図示せず）の外周の１８０度対向した位置に設けられており、互いに異なるアジマス角を持っている。そして、磁気ヘッドＨ０とＨ１により交互に磁気テープ１上のデジタルデータを再生する。
【００１０】
図１の磁気再生装置は、さらにＲＦ再生アンプ２の出力に対して波形等化（イコライジング）とレベル調整を行うイコライザー３と、イコライザー３の出力からクロック信号ＣＬＫを生成するＰＬＬ回路４と、このクロック信号ＣＬＫのタイミングでイコライザー３の出力をデジタル化するＡ／Ｄ変換器５と、Ａ／Ｄ変換回路５から出力されるデータの記録き復調と誤り訂正処理等を行なうチャネルデコーダ及びＥＣＣ回路６と、チャネルデコーダ及びＥＣＣ回路６において分離されたオーディオデータに対してデインターリーブ及び補間処理を施すデインターリーブ及び補間回路７と、デインターリーブ及び補間回路７の出力オーディオデータに対してミュート処理を施すデジタルシグナルプロセッサ（以下ＤＳＰという）８とを備えている。
【００１１】
なお、本発明は再生オーディオデータの処理に関するものであるため、チャネルデコーダ及びＥＣＣ回路６以降は、オーディオデータの処理に関する回路のみ示した。
【００１２】
次に、図１に示した磁気再生装置の動作を説明する。
磁気ヘッドＨ０，Ｈ１により磁気テープ１から交互に再生されたＲＦ信号は、ヘッド切り換えスイッチＳＷを通り、再生ＲＦアンプ２により増幅された後、イコライザー３に入力される。イコライザー３は、これらのＲＦ信号を次段で処理可能なようにイコライジングすると共に、ＡＧＣをかけてレベルを一定化する。
【００１３】
イコライザー３の出力はＰＬＬ回路４とＡ／Ｄ変換回路５に送られる。Ａ／Ｄ変換回路５はイコライザー４の出力をデジタル化し、チャネルデコーダ及びＥＣＣ回路６へ送る。このデジタル化は、ＰＬＬ回路４が生成したクロック信号ＣＬＫのタイミングで行われる。
【００１４】
チャネルデコーダ及びＥＣＣ回路６は入力されたデータを記録復調し、かつ誤り訂正処理を行なう。そして、オーディオデータを分離してデインターリーブ及び補間回路７へ送る。このとき、誤り訂正ができなかったオーディオデータには所定のエラーコード（例えば８０００ｈ）を付加する。
【００１５】
デインターリーブ回路及び補間回路７は、記録時のインターリーブ処理を元に戻すと共に、エラーとなったオーディオデータを補間し、ＤＳＰ８へ送る。このとき、補間により修復しきれなかったエラーがあったときは、オーディオデータに付与するエラーフラグを１にしてＤＳＰ８へ送る。
【００１６】
ＤＳＰ８は入力されたオーディオデータのエラーフラグが１であったときは、オーディオデータのミュート処理を実行する。
【００１７】
図２にデインターリーブ及び補間回路７からＤＳＰ８へ送られるオーディオデータのタイミングチャートを示す。本実施の形態では、磁気テープ１には、Ｌ，Ｒ２チャンネルのアナログオーディオをそれぞれ１６ビットのデジタルオーディオデータに変換したものが記録されているものとする。
【００１８】
デインターリーブ及び補間回路７は、図２（ａ）に示すＬＲクロックに同期してＬチャンネルのオーディオデータ及びＲチャンネルのオーディオデータを１６ビット分、すなわち１サンプルずつ交互にＤＳＰ８へ送る。そして、Ｌチャンネル及びＲチャンネルの残りの各１６ビット分はオーディオデータの伝送に使用していない部分であるが、ここではその１ビットを用いてエラーフラグを伝送している。そして、オーディオデータに補間により修復しきれなかったエラーがあるときは、その直前の１ビットのエラーフラグの値を１にする。
【００１９】
図３及び図４はＤＳＰにおけるミュート処理を示すフローチャートである。この処理は、補間により修復できないエラーが発生したときに起動され、オーディオデータの各サンプル毎に実行される。
【００２０】
エラーミュート処理が開始されると、まずサンプルカウンター、Ｌチャンネルのエラーカウンター及びＲチャンネルのエラーカウンターを０に初期設定する。また、モードフラグをノーマルモードに初期設定する。
【００２１】
そして、デインターリーブ及び補間回路６から１サンプルを受け取る毎にサンプルカウンターを１インクリメントする。このサンプルカウンターは２０サンプルカウントするに毎にリセットされる（ステップＳ１）。
【００２２】
ステップＳ１でサンプルカウンターをインクリメントした後、ＬチャンネルとＲチャンネルのエラーを別々にカウントする（ステップＳ２〜Ｓ５）。ＬチャンネルのエラーカウンターとＲチャンネルのエラーカウンターはサンプルカウンターと同時にリセットされる。つまり、２０サンプル毎にＬチャンネルとＲチャンネルのエラーを積算値を計算している。
【００２３】
ＬチャンネルとＲチャンネルのエラーを個別にカウントした後、ステップＳ６，Ｓ９，Ｓ１３でモードフラグを判別する。図５にモードフラグのモードとＤＳＰ８のオーディオ出力レベルとの関係を示す。処理開始当初はノーマルモードに初期設定されているので、ステップＳ１６へ移行する。
【００２４】
ステップＳ１６ではエラー率が７５％以上かどうかを判断する。すなわち、サンプルカウンターが２０サンプルをカウントした時点におけるＬチャンネルエラーカウンターの値とＲチャンネルエラーカウンターの値の和が１５以上であるかどうかを判断する。そして、エラー率が７５％以上であれば、モードフラグをミュートインに設定し（ステップＳ１７）、処理を終える。エラー率が７５％未満であれば、そのまま処理を終える。
【００２５】
ステップＳ１７で、モードフラグをミュートインに設定すると、次の入力サンプルに対するモードフラグの判定処理（ステップＳ６）の結果、出力レベルを１２ｄＢ低下させ、モードフラグをミュートホールドに設定して処理を終える（ステップＳ７，Ｓ８）。このとき、図５に示すように徐々に出力レベルを低下させる。このミュートイン時間は、例えばオーディオデータのサンプリング周波数が３２ｋＨｚの場合には２ｍｓ程度にする。なお、出力レベルの低下量をこれより大きくして（例、−９０ｄｂ）、殆ど無音になるようにしてもよい。
【００２６】
モードフラグがミュートホールドに設定されると、次の入力サンプルに対するモードフラグ判定処理の結果（ステップＳ６，Ｓ９）、ステップＳ１０へ移行する。ステップＳ１０では、入力サンプルのエラー率が１０％以下の状態が５０００サンプル続いたかをどうかを判定する。すなわち、入力２０サンプルに対するＬチャンネルエラーカウンターの値とＲチャンネルエラーカウンターの値の和が２以下である状態が入力５０００サンプルまで続いたかどうかを判定する。そして、続いたと判定されるまではモードフラグをミュートホールドに設定し、続いたと判定されたらモードフラグをミュートアウトに設定する（ステップＳ１１，Ｓ１２）。
【００２７】
モードフラグがミュートアウトに設定されると、次の入力サンプルに対するモードフラグ判定処理の結果、ステップＳ１４へ移行する。そして、ミュートを解除し、モードフラグをノーマルに設定して処理を終える（ステップＳ１４，Ｓ１５）。このとき、図５に示すように徐々に出力レベルを上昇させる。このミュートアウト時間は、例えばオーディオデータのサンプリング周波数が３２ｋＨｚの場合には２ｍｓ程度にする。
【００２８】
本実施の形態においては、ＤＳＰを用いてミュートを行なっているので、出力レベル、ミュートイン／ミュートアウトの時間、ステップＳ１０におけるエラー率や連続サンプル数、及びステップＳ１６におけるエラー率の設定を外部から自由に行なうことができる。
【００２９】
【発明の効果】
以上詳細に説明したように、本発明によれば、磁気テープから再生したデジタルオーディオ信号のエラーの程度を検出し、所定の程度を越えるエラーを検出したときに、前記デジタルオーディオ信号の出力レベルを低下させるので、補間により修復できないエラーが生じたときでも耳障りなノイズを抑えることができる。
【００３０】
また、所定のエラー率、上記所定サンプル期間、上記所定レベル及び上記出力レベル低下の時間の設定をＤＳＰにより行なっているので、外部から自由に特性を設定できる。
【図面の簡単な説明】
【図１】本発明を適用した磁気再生装置の要部の構成を示すブロック図である。
【図２】ＤＳＰ８へ入力されるオーディオデータのタイミングチャートを示す図である。
【図３】ＤＳＰにおけるミュート処理の一部を示すフローチャートである。
【図４】ＤＳＰにおけるミュート処理の残りの一部を示すフローチャートである。
【図５】ミュート処理のタイミングチャートである。
【符号の説明】
１…磁気テープ、６…チャネルデコーダ及びＥＣＣ回路、７…デインターリーブ及び補間回路、８…ＤＳＰ、Ｈ０，Ｈ１…磁気ヘッド
【図１】
0003711594.tif 000002
【図２】
0003711594.tif 000003
【図３】
0003711594.tif 000004
【図４】
0003711594.tif 000005
【図５】
0003711594.tif 000006